(57)【要約】      （修正有）【課題】組み立て時の弾性連結紐の取り付け順序の自由度が大きくなったり、あるいは、劣化した弾性連結紐を簡単に取り換えることができる折り畳み可能な杖を提供する。【解決手段】第１のパイプ体３の他端側の内部にカーボン又は樹脂製の第１嵌め込みパイプ１５を挿入して固定する。第１嵌め込みパイプ１５の他端部には、アルミニウム製の接続金具１９を嵌め付け固定する。接続金具１９の接続孔にゴム製連結紐５５を通して連結する。【選択図】図３
0003156004.tif 000002
【実用新案登録請求の範囲】
【請求項１】
ハンドルを有する第１のパイプ体と、石突を有する第２のパイプ体と、前記第１のパイプ体及び前記第２のパイプ対の間に配置された少なくとも１本の中間パイプ体と、一端部が前記第１のパイプ体に接続され、他端部が前記第２のパイプ体に接続された弾性連結紐と、を備え、前記弾性連結紐の引っ張り力により、前記第１のパイプ体、前記第２のパイプ体及び前記中間パイプ体を長さ方向に連結した状態に保持するとともに、前記弾性連結紐を引き伸ばし、前記第１のパイプ体、前記第２のパイプ体及び前記中間パイプ体を分解して平行状態に折り畳む折り畳み可能な杖であって、
前記第１のパイプ体の反ハンドル側端部には、弾性連結紐の一端部を接続するための接続孔を有する接続金具が取り付けられていて、この接続孔は前記第１のパイプ体の反ハンドル側端部から突出して位置している、ことを特徴とする折り畳み可能な杖。
【請求項２】
前記第１のパイプ体の反ハンドル側端部には、隣接する前記中間パイプ体に嵌め込まれるパイプ状の嵌め込み部が突出して設けられていて、この嵌め込み部には、前記接続孔が突出して位置するように、前記接続金具が嵌め込まれて固定されている、ことを特徴とする請求項１記載の折り畳み可能な杖。
【考案の詳細な説明】
【技術分野】
【０００１】
本考案は、弾性連結紐を用いた杖に関し、より詳しくは、不使用時に短く折り畳んでおくことができる杖に関する。
【背景技術】
【０００２】
杖は、高齢者などが歩行の補助として用いるものであるが、不使用時に、例えば手提袋に入れておくことができるように、コンパクトに変形できる構造のものが好ましい。このような杖としては、例えば特許文献１に示すように、ハンドルを有する第１のパイプ体と、石突を有する第２のパイプ体と、第１のパイプ体及び第２のパイプ体の間に配置された中間パイプ体とを、ゴム紐を用いて長さ方向に嵌め合い連結した構造のものが知られている。ゴム紐は、一端部が第１のパイプ体の内部に接続され、他端部が、中間パイプ体を通過して第２のパイプ体の内部に接続されていて、第１のパイプ体、中間パイプ体及び第２のパイプ体は、ゴム紐の引っ張り力によって一直線状の棒状体に保持される。このような構造の杖は、ゴム紐を引き伸ばしながら、隣り合うパイプ体同士の嵌め込み接続を外すことにより、パイプ体を平行状態に折り畳むことができる。
【先行技術文献】
【特許文献】
【０００３】
【特許文献１】特開２００５−２７８９４３号公報
【考案の概要】
【考案が解決しようとする課題】
【０００４】
ところで、特許文献１に記載された杖では、ゴム紐の一端部は第１のパイプ体の上端部に接続又は連結されている。したがって、ゴム紐を第１のパイプ体の上端部に連結してからでないと、第１のパイプ体にハンドルを取り付けることができない。また、繰り返しの使用によりゴム紐の弾性力が劣化しても、ゴム紐を簡単に取り換えることができない。
【０００５】
そこで本考案は、このような問題点の少なくとも１つを解決する折り畳み可能な杖の提供を目的としている。
【課題を解決するための手段】
【０００６】
この目的を達成するため、本考案は、ハンドルを有する第１のパイプ体と、石突を有する第２のパイプ体と、前記第１のパイプ体及び前記第２のパイプ対の間に配置された少なくとも１本の中間パイプ体と、一端部が前記第１のパイプ体に接続され、他端部が前記第２のパイプ体に接続された弾性連結紐（例えばゴム製連結紐）と、を備え、前記弾性連結紐の引っ張り力により、前記第１のパイプ体、前記第２のパイプ体及び前記中間パイプ体を長さ方向に連結した状態に保持するとともに、前記弾性連結紐を引き伸ばし、前記第１のパイプ体、前記第２のパイプ体及び前記中間パイプ体を分解して平行状態に折り畳む折り畳み可能な杖であって、前記第１のパイプ体の反ハンドル側端部には、弾性連結紐の一端部を接続するための接続孔を有する接続金具が取り付けられていて、この接続孔は前記第１のパイプ体の反ハンドル側端部から突出して位置しているものである。ここでは、例えば第１のパイプ体に接続金具を固定しハンドルを取り付けてから、この接続金具の接続孔に弾性連結紐を連結又は接続することができる。また、弾性連結紐が劣化した場合にも、古い弾性連結紐を簡単に新たな弾性連結紐に取り換えることができる。
【０００７】
パイプ体とパイプ体との嵌め込み接続又は嵌め合い連結は、例えば、一方のパイプ体に、端部から突出するように小径の嵌め込み部を設けておき、この嵌め込み部を他方のパイプ体に嵌め入れることにより行われる。第１のパイプ体と隣接する中間パイプ体との連結は、接続金具を第１のパイプ体の反ハンドル側端部から突出させておき、この接続金具の突出部分を嵌め込み部として利用することにより行うことができる。しかしながら、使用時に杖ががたつかないように、嵌め込み部の外径はパイプ体の内径とほぼ等しいように設定されるので、接続金具を嵌め込み部として利用すると、嵌め込み及び取り外しの繰り返しにより中間パイプ体（特にカーボン製や樹脂製の中間パイプ体）の端部が接続金具によって傷付くおそれがある。したがって、カーボンや樹脂で形成されたパイプ状の嵌め込み部を第１のパイプ体に設けるとともに、この嵌め込み部（第１のパイプ体の一部）に接続金具を嵌め込んで固定するのが得策である。接続金具の接続孔は嵌め込み部から突出して位置することとなる。
【考案の効果】
【０００８】
本考案では、組み立て時の弾性連結紐の取り付け順序の自由度が大きくなったり、あるいは、劣化した弾性連結紐を簡単に取り換えられる折り畳み可能な杖を提供できる。
【図面の簡単な説明】
【０００９】
【図１】本考案に係る折り畳み可能な杖の使用時の態様を示す図である。
【図２】本考案に係る折り畳み可能な杖の不使用時の態様を示す図である。
【図３】不使用時の態様での折り畳み可能な杖の断面図である。
【図４】接続金具の斜視図である。
【考案を実施するための形態】
【００１０】
図１は本考案に係る折り畳み可能な杖の使用時の態様を示す図、図２は本考案に係る折り畳み可能な杖の不使用時の態様を示す図である。
【００１１】
折り畳み可能な杖１は、第１のパイプ体３、第１中間パイプ体５、第２中間パイプ体７、第３中間パイプ体９及び第２のパイプ体１１を有していて、これらのパイプ体３、５、７、９、１１を長さ方向に連結して歩行の補助として使用でき（図１）、また、これらのパイプ体３、５、７、９、１１の連結を解除してコンパクトに折り畳むことができる（図２）ように構成されている。パイプ体３、５、７、９、１１はそれぞれ、カーボン又は樹脂により形成され、表面に塗装が施されている。第１のパイプ体３の一端部（上端部）には、歩行者が把持するためのハンドル１３が取り付けられていて、第１のパイプ体３の他端側（下端側）の内部にはカーボン又は樹脂製の第１嵌め込みパイプ１５が挿入され、例えばエポキシ接着剤により固定されている。第１嵌め込みパイプ１５は、他端部（下端部）が第１のパイプ体３の他端（下端）から突出して嵌め込み部１７を構成するように取り付けられていて、嵌め込み部１７には、アルミニウム製の接続金具１９が嵌め付けられている。第１嵌め込みパイプ１５の表面には、少なくとも嵌め込み部１７で、塗装が施されている。
【００１２】
接続金具１９は、他端（下端）が閉塞されて底部２１が形成された円筒状の嵌め込み固定部２３と、この嵌め込み固定部２３の底部２１から他方側（下側）に突出する円柱状の接続突起２５とから一体的に形成され、嵌め込み固定部２３の他端（下端）外周にはストッパフランジ２７が設けられていて、接続突起２５には接続孔又は連結孔２９があけられている。接続金具１９は、ストッパフランジ２７が第１嵌め込みパイプ１５の嵌め込み部１７の他端（下端）に当接するまで、嵌め込み固定部２３を嵌め込み部１７内に嵌め入れ、接着剤で固定することにより、第１のパイプ体３に取り付けられている。
【００１３】
第１中間パイプ体５、第２中間パイプ体７、第３中間パイプ体９にもそれぞれ、他端側（下端側）の内部に、カーボン又は樹脂製の第１中間嵌め込みパイプ３１、第２中間嵌め込みパイプ３３、第３中間嵌め込みパイプ３５が挿入され、例えばエポキシ接着剤により固定されている。第１中間嵌め込みパイプ３１、第２中間嵌め込みパイプ３３、第３中間嵌め込みパイプ３５は、他端部（下端部）が、第１中間パイプ体５、第２中間パイプ体７、第３中間パイプ体９の他端（下端）から突出して嵌め込み部３７、３９、４１をそれぞれ構成するように取り付けられていて、嵌め込み部３７、３９、４１の他端部（下端部）には、アルミニウム製の補強環４３、４５、４７が嵌め付けられている。第１中間嵌め込みパイプ３１、第２中間嵌め込みパイプ３３、第３中間嵌め込みパイプ３５の表面には、少なくとも嵌め込み部３７、３９、４１で、塗装が施されている。
【００１４】
第２のパイプ体１１の他端部（下端部）には、ゴム製の石突４９が嵌め付けられ、また、第２のパイプ体１１の内部中央位置には抜け止めパイプ５１が、例えばエポキシ接着剤により固定されている。そして、第２のパイプ体１１の内部には、抜け止めパイプ５１の他方側（下側）で固定リング５３が配置されていて、この固定リング５３は抜け止めパイプ５１の他端（下端）と当接することにより、一方側への移動が阻止されるように構成されている。
【００１５】
接続金具１９の接続突起２５の接続孔２９にはゴム製の連結紐５５が通されていて、この連結紐５５の両端部５７、５７は、第１中間パイプ体５、第２中間パイプ体７、第３中間パイプ体９を通過して第２のパイプ体１１内に導かれ、抜け止めパイプ５１及び固定リング５３を通って固定リング５３から抜けないように縛られている。ここでは、連結紐５５の中央部又は折り返し部が接続孔２９に接続される一端部を構成する。接続孔２９の両端部は、連結紐５５を傷付けないように外側に向かって拡径している。
【００１６】
なお、図中５９は金属製の補強リングである。
【００１７】
折り畳み可能な杖１は、第１のパイプ体３の嵌め込み部１７を第１中間パイプ体５の一端部内側に、第１中間パイプ体５の嵌め込み部３７を第２中間パイプ体７の一端部内側に、第２中間パイプ体７の嵌め込み部３９を第３中間パイプ体９の一端部内側に、そして、第３中間パイプ体９の嵌め込み部４１を第２のパイプ体１１の一端部内側に、それぞれ挿入して嵌め込むことにより、一直線状の棒状体として構成される。このとき、連結紐５５は、接続金具１９の接続孔２９と、抜け止めパイプ５１により抜け止めされた固定リング５３との間で引っ張られた状態となっていて、第１のパイプ体３と第２のパイプ体１１とに弾性引っ張り力を作用させている。したがって、第１中間パイプ体５、第２中間パイプ体７及び第３中間パイプ体９には、第１のパイプ体３と第２のパイプ体１１とが押し付けられるので、折り畳み可能な杖１は一直線状の棒状体として保持される。
【００１８】
また、折り畳み可能な杖１は、第１のパイプ体３の嵌め込み部１７を第１中間パイプ体５の一端部内側から、第１中間パイプ体５の嵌め込み部３７を第２中間パイプ体７の一端部内側から、第２中間パイプ体７の嵌め込み部３９を第３中間パイプ体９の一端部内側から、そして、第３中間パイプ体９の嵌め込み部４１を第２のパイプ体１１の一端部内側から、それぞれ抜き出すことにより、折り畳むことができる。折り畳み時には、一直線状の棒状体の時よりも連結紐５５は引っ張られて伸びていることとなる。
【産業上の利用可能性】
【００１９】
本考案の折り畳み可能な杖は、弾性連結紐の取り扱い性に優れたものである。
【符号の説明】
【００２０】
１    折り畳み可能な杖
３    第１のパイプ体
５    第１中間パイプ体
７    第２中間パイプ体
９    第３中間パイプ体
１１  第２のパイプ体
１３  ハンドル
１９  接続金具
２９  接続孔
４９  石突
５５  連結紐
【図１】
0003156004.tif 000003
【図２】
0003156004.tif 000004
【図３】
0003156004.tif 000005
【図４】
0003156004.tif 000006
【手続補正書】
【提出日】平成21年10月27日(2009.10.27)
【手続補正１】
【補正対象書類名】実用新案登録請求の範囲
【補正対象項目名】全文
【補正方法】変更
【補正の内容】
【実用新案登録請求の範囲】
【請求項１】
ハンドルを有する第１のパイプ体と、石突を有する第２のパイプ体と、前記第１のパイプ体及び前記第２のパイプ対の間に配置された少なくとも１本の中間パイプ体と、一端部が前記第１のパイプ体に接続され、他端部が前記第２のパイプ体に接続された弾性連結紐と、を備え、前記弾性連結紐の引っ張り力により、前記第１のパイプ体、前記第２のパイプ体及び前記中間パイプ体を長さ方向に連結した状態に保持するとともに、前記弾性連結紐を引き伸ばし、前記第１のパイプ体、前記第２のパイプ体及び前記中間パイプ体を分解して平行状態に折り畳む折り畳み可能な杖であって、
前記第１のパイプ体の反ハンドル側端部には、弾性連結紐の一端部を接続するための接続孔を有する接続金具が取り付けられていて、この接続孔は前記第１のパイプ体の反ハンドル側端部から突出して位置している、ことを特徴とする折り畳み可能な杖。
【請求項２】
前記第１のパイプ体の反ハンドル側端部には、隣接する前記中間パイプ体に嵌め込まれるパイプ状の嵌め込み部が突出して設けられていて、この嵌め込み部には、前記接続孔が突出して位置するように、前記接続金具が嵌め込まれて固定されている、ことを特徴とする請求項１記載の折り畳み可能な杖。
【請求項３】
前記接続孔は、長さ方向と直交する方向に前記接続金具を貫通して設けられている、ことを特徴とする請求項１又は２記載の折り畳み可能な杖。
【請求項４】
前記接続孔の両端部は、外側に向かって拡径している、ことを特徴とする請求項３記載の折り畳み可能な杖。
【請求項５】
前記弾性連結紐はゴム製連結紐である、ことを特徴とする請求項１、２、３又は４記載の折り畳み可能な杖。
【請求項６】
前記第１のパイプ体及び前記中間パイプ体はカーボン製又は樹脂製であり、前記嵌め込み部は、前記第１のパイプ体に挿入され固定されたカーボン製又は樹脂製の嵌め込みパイプにより構成されている、ことを特徴とする請求項１、２、３、４又は５記載の折り畳み可能な杖。